(57)【要約】【課題】水底の起伏や高流速や風雨・波浪等によっても水中展張膜に大きな流体抵抗を受けず、かつ容易に設置可能とした水中展張膜の展張方法を提供するとこにある。【解決手段】横手方向に長い水中展張膜の下縁部をアーチ形とし、該水中展張膜の上部にフロートを設け、一方水中展張膜の両側下端部からアンカーワイヤーによってアンカーに固定する、水中展張膜の展張方法。【選択図】図２
2015168982.tif 000002
【特許請求の範囲】
【請求項１】
横手方向に長い水中展張膜の下縁部をアーチ形とし、該水中展張膜の上部にフロートを設け、一方水中展張膜の両側下端部からアンカーワイヤーによってアンカーに固定することを特徴とする水中展張膜の展張方法。
【発明の詳細な説明】
【技術分野】
【０００１】
本発明は、河川、湖沼、海洋、ダム等において汚濁拡散物質の除去や海岸線の保護等のために用いられる汚濁拡散防止膜あるいは潜堤として使用するための水中展張膜の展張方法に関する。
【背景技術】
【０００２】
従来、汚濁物質の拡散を防止するために、垂下型フェンスを展張する場合、流体抵抗の大きな吃水面にテンションベルトを係留部につなぎ、水底のアンカーに、２０ｍ毎にワイヤーロープでフェンスを係留していた。
また、自立型潜堤として、展張する場合、水底部に直線的なＨ鋼をアンカーとして設置し、ここに垂下型フェンスを２０ｍ毎にワイヤーロープで係留設置されていた。一方大水深部に設置しようとする場合、キャンバス等のカーテン布地に対する抵抗が大きいために実質的に設置することが不可能であった。
そして、従来汚濁拡散防止膜を水面部に設置する場合、フロート近傍部において緊張ベルトによって係留していたが、荒天候時には破損してしまうことから、汚濁防止膜装置自体が破損し、甚大な被害を受けていた。
【発明の概要】
【発明が解決しようとする課題】
【０００３】
そこで本発明者は、水底の起伏や高流速や風雨・波浪等によっても水中展張膜に大きな流体抵抗を受けない極力簡易な構造とし、それによって部材疲労の軽減、長期間の使用を可能とし、そして水中展張膜によって微細粒子（汚濁物質）の付着沈殿を行い、水質浄化を図ることについて、種々研究した結果本発明を完成するに至った。
【課題を解決するための手段】
【０００４】
すなわち、本発明は、横手方向に長い水中展張膜の下縁部をアーチ形とし、該水中展張膜の上部にフロートを設け、一方水中展張膜の両側下端部からアンカーワイヤーによってアンカーに固定することを特徴とする水中展張膜の展張方法である。
【発明の効果】
【０００５】
本発明は、高流速や波浪等によって、水中展張膜に大きな流体抵抗を受けても部材疲労の軽減、長期間の使用を可能とし、水底の不陸・起伏によっても底層から点支持で立ち上げたアンカーで、アンカー数も少ない為に設置が容易であり、従って大水深部においても容易に設置することができる。また水中展張膜をネットで構成した場合、特に微細粒子の付着沈殿が効果的に行われるために、著しく水質浄化の効率を高めることができる。さらに水中展張膜の中間部、下縁部に適宜の数のフロートを設けることによって、アンカーワイヤーを常に緊張状態に保持することができると共に、水中展張膜の吹き上げ防止を行うことができる。さらに水面部のフロート近傍からの緊張ベルトをアンカーワイヤーに固定する必要がない。
【図面の簡単な説明】
【０００６】
【図１】水中展張膜の正面図
【図２】水中展張膜を水中に展張したときの正面図
【図３】水中展張膜を連結して展張する場合を示した正面図
【発明を実施するための形態】
【０００７】
本発明方法に使用する水中展張膜１の形状は、図１に示すように横手方向に長く、かつ水中展張膜１の下縁部２がその両端部３，４からアーチ形に切り欠かれている。
このアーチ形の曲線半径、すなわち切り欠く程度は、水中展張膜１の長手方向の長さＬによっても異なるが、一般的にＬ／２の中間位置Ｓにおいて、水中展張膜１の縦方向の長さh１の１／１０〜９／１０が切り欠かれるようにすることが好ましい。すなわち、水中展張膜１の中間位置Ｓにおけるh２の長さが、少なくともh１の１／１０以上であることが好ましい。
【０００８】
この水中展張膜１の大きさも使用目的、使用場所の環境にもよるが長手方向に５〜４００ｍ程度、縦方向に１〜２０ｍの大きさのものが使用し得る。
【０００９】
本発明の水中展張膜１に使用する素材としては、キャンパス等の可撓性シート、ネット膜或いは、可撓性シートとネット膜の併用・組み合わせ等が用いられる。特にネット膜を使用する場合は水抵抗を軽減することができるので好ましい。
ネット膜は一枚でも複数枚重ね合わせて使用することができる。ネット膜の網目の大きさは、使用目的等により適宜選択すればよいが、一般的には一つの網目の大きさが１〜２０ｃｍ２特に５〜１５ｃｍ２程度のものが好ましい。
またネット膜を複数枚重ね合わせて水中展張膜１として使用する場合、すべて同一の網目の大きさのものを使用してもよいが、異なる網目の大きさのものを適宜組み合わせて使用することができる。さらに水中展張膜１の調製に複数枚のネット膜を使用する場合、ネット膜の間に、例えば直径１２ｍｍ程度のロープで構成されたネット体を挟着すると水中展張膜１に芯が入ったような状態になり、例えば流速が速くなっても水中展張膜１が吹き上がることを防止することができる。
【００１０】
本発明の水中展張膜１の下縁部２には、該水中展張膜１を常に垂下状態に保持するために重錘を設けることができる（図示せず）。
【００１１】
ネット膜の網目の形状も三角形、四角形、六角形等種々の形状のものが使用できる。
【００１２】
ネット膜を複数枚用いた水中展張膜１を使用する場合、重ね合わせる枚数も使用目的によって適宜選択すればよいが、水面漂流物を捕捉するような場合であれば、ネット膜の網目の大きさにもよるが、一般的には２〜４枚重ね合わせることが好ましい。また微粒子の汚濁物質やオイル等の拡散を防止するためには、やはり網目の大きさにもよるが、一般的には２〜１０枚、好ましくは２〜４枚重ね合わせると良い。
【００１３】
次に本発明の水中展張膜１の展張方法について説明する。
図２に示すように、水中展張膜１の上縁部にフロート５を任意の個数付設する。一方水中展張膜１の下縁部３，４からそれぞれにアンカーワイヤー６を固定し、アンカーワイヤー６の他端を水底に設けられたアンカー７に固定することによって水中に水中展張膜１を展張することができる。
なお水中展張膜１を水面近傍に展張したい場合は、例えば、フロート５が水面に位置するようにアンカーワイヤー６の長さを調整すればよい。
また潜堤と使用する場合もアンカーワイヤー６の長さを調整することによって使用することができる。
また使用するアンカーワイヤー６は、水底に沈まないように、例えばアンカーワイヤー６の比重が１より小さい繊維ロープを用いることで水中展張膜１と分離したときにアンカーワイヤー６が水底に沈むことを防止することができる。さらに水中展張膜１の中間部及び下縁部に適宜の数のフロートを設けることによって、水中展張膜の吹き上げ防止およびアンカーワイヤー５を緊張状態に保持をすることができる（図示せず）。
【００１４】
また本発明の水中展張膜１の他の展張方法の態様としては、図３に示すように水中展張膜１を横方向に連続して繋いで使用することによってアンカーワイヤー６やアンカー７の数を減らすことができる。
前記したように本発明方法によれば２点支持で水中展張膜１を展張することができるので設置が簡単なうえに水底が平坦でなくとも容易に展張することができる。
【００１５】
更に、本発明の水中展張膜１を潜堤として使用する場合、水中展張膜１によって付着沈澱した微細粒子（汚濁物質）が水中展張膜１の前後に堆積しても、水中展張膜１の下縁部２がその両端部３・４からアーチ形に切り欠かれているので、堆積した微細粒子（汚濁物質）が水中展張膜１を埋漏れることなく展張することができる。
【符号の説明】
【００１６】
１・・・・・水中展張膜
５・・・・・フロート
６・・・・・アンカーワイヤー
７・・・・・アンカー
【図１】
2015168982.tif 000003
【図２】
2015168982.tif 000004
【図３】
2015168982.tif 000005